(57)【要約】【課題】入力ボタンから直接入力することができない特殊情報を容易に入力することができる携帯電話装置及び携帯電話装置の制御方法を提供する。【解決手段】特殊情報を付加表示する対象となる対象情報の位置又はその近傍にカーソルを合わせ、入力モード切替ボタン６２により特殊情報入力モードに切り替えて、複数の入力ボタンの表面にわたって特殊情報を描くように接触すると、その接触が接触検知センサ５６により検知される。接触検知センサ５６による検知結果に基づいてディスプレイ４２に表示された対象情報に特殊情報が制御回路３６により付加表示される。【選択図】      図１
2007066169.tif 000002
【特許請求の範囲】
【請求項１】
複数の入力ボタンと、
複数の前記入力ボタンの表面にそれぞれ設けられ前記入力ボタンに対するユーザの接触を検知する接触検知センサと、
所定の情報を表示する表示部と、
通常情報を入力する通常情報入力モードと特殊情報を入力する特殊情報入力モードとを相互に切り替える入力モード切替部と、
特殊情報を付加表示する対象となる対象情報の位置又はその近傍にカーソルを合わせ、前記入力モード切替部により特殊情報入力モードに切り替えて、複数の前記入力ボタンの表面にわたって前記特殊情報を描くように接触することにより前記表示部に表示された前記対象情報に前記特殊情報を付加表示する制御部と、
を含んで構成されたことを特徴とする携帯電話装置。
【請求項２】
前記特殊情報入力モードへの切り替えは、所定の前記入力ボタンを押下し又はその表面に接触することにより実行されることを特徴とする請求項１に記載の携帯電話装置。
【請求項３】
前記特殊情報入力モードへの切り替えは、前記対象情報を入力する前記入力ボタンの表面を複数回接触することにより実行されることを特徴とする請求項１に記載の携帯電話装置。
【請求項４】
複数の入力ボタンと、複数の前記入力ボタンの表面にそれぞれ設けられ前記入力ボタンに対するユーザの接触を検知する接触検知センサと、を有する携帯電話装置の制御方法であって、
特殊情報を付加表示する対象となる対象情報の位置又はその近傍にカーソルを合わせ、入力モード切替部により通常情報入力モードから特殊情報入力モードに切り替えて、複数の前記入力ボタンの表面にわたって前記特殊情報を描くように接触することにより前記表示部に表示された前記対象情報に前記特殊情報が制御部により付加表示されることを特徴とする携帯電話装置の制御方法。
【請求項５】
前記特殊情報入力モードへの切り替えは、所定の前記入力ボタンを押下し又はその表面に接触することにより実行されることを特徴とする請求項４に記載の携帯電話装置の制御方法。
【請求項６】
前記特殊情報入力モードへの切り替えは、前記対象情報を入力する前記入力ボタンの表面を複数回接触することにより実行されることを特徴とする請求項４に記載の携帯電話装置の制御方法。
【発明の詳細な説明】
【技術分野】
【０００１】
本発明は、携帯電話装置及び携帯電話装置の制御方法に関し、特に操作部の表面に接触検知センサが設けられた携帯電話装置及び携帯電話装置の制御方法に関する。
【背景技術】
【０００２】
従来の携帯電話装置には、テンキーなどの各入力ボタンの表面に接触検知センサをそれぞれ設け、ユーザがこの接触検知センサに接触することにより、入力ボタンを押下することなく、その接触した入力ボタンに該当する入力情報をディスプレイにそのまま入力することができるものが知られている（下記特許文献１参照）。
【特許文献１】特開２００１−３３３１６６号公報
【発明の開示】
【発明が解決しようとする課題】
【０００３】
ところで、従来の携帯電話装置では、電卓などと異なり、大きさ上の制限から、２乗や、√（ルート）、ｔａｎ（三角関数）などの特殊情報を入力させるキーが存在しない。このため、これらの特殊情報を入力する場合には、例えば携帯電話装置の機能メニューの記号入力にある記号一覧から所定の特殊情報を選択することにより、ディスプレイに表示させる方法が考えられる。
【０００４】
しかしながら、上記作業は、煩雑となり、また時間もかかり、ユーザにとって非常に不便で使い難いものとなる。
【０００５】
そこで、本発明は、上記事情を考慮し、入力ボタンから直接入力することができない特殊情報を容易に入力することができる携帯電話装置及び携帯電話装置の制御方法を提供することを目的とする。
【課題を解決するための手段】
【０００６】
請求項１に記載の発明は、複数の入力ボタンと、複数の前記入力ボタンの表面にそれぞれ設けられ前記入力ボタンに対するユーザの接触を検知する接触検知センサと、所定の情報を表示する表示部と、通常情報を入力する通常情報入力モードと特殊情報を入力する特殊情報入力モードとを相互に切り替える入力モード切替部と、特殊情報を付加表示する対象となる対象情報の位置又はその近傍にカーソルを合わせ、前記入力モード切替部により特殊情報入力モードに切り替えて、複数の前記入力ボタンの表面にわたって前記特殊情報を描くように接触することにより前記表示部に表示された前記対象情報に前記特殊情報を付加表示する制御部と、を含んで構成されたことを特徴とする。
【０００７】
請求項１に記載の発明によれば、特殊情報を付加表示する対象となる対象情報の位置又はその近傍にカーソルを合わせ、入力モード切替部により特殊情報入力モードに切り替えて、複数の入力ボタンの表面にわたって特殊情報を描くように接触すると、その接触が接触検知センサにより検知される。そして、この接触検知センサによる検知結果に基づいて表示部に表示された対象情報に特殊情報が制御部により付加表示される。これにより、各入力ボタンから直接に入力できない特殊情報を容易に入力することができる。また、特殊情報入力モードへの切り替えを行うことにより、特殊情報の入力モードと通常情報の入力モードを区別することができ、誤入力を防止できる。
【０００８】
なお、本明細書において、「通常情報」とは、入力ボタンを押下又はその表面に接触するだけで入力できる通常の情報を意味する。また、「特殊情報」とは、入力ボタンを押下又はその表面に接触するだけでは入力できない特殊な情報を意味する。
【０００９】
請求項２に記載の発明は、請求項１に記載の携帯電話装置において、前記特殊情報入力モードへの切り替えは、所定の前記入力ボタンを押下し又はその表面に接触することにより実行されることを特徴とする。
【００１０】
請求項２に記載の発明によれば、特殊情報入力モードへの切り替えが所定の入力ボタンを押下し又はその表面に接触することにより実行されることにより、特殊情報入力モードへの切り替えを容易に行うことができる。
【００１１】
請求項３に記載の発明は、請求項１に記載の携帯電話装置において、前記特殊情報入力モードへの切り替えは、前記対象情報を入力する前記入力ボタンの表面を複数回接触することにより実行されることを特徴とする。
【００１２】
請求項３に記載の発明によれば、特殊情報入力モードへの切り替えが対象情報を入力する入力ボタンの表面を複数回接触することにより実行されることにより、特殊情報入力モードへの切り替えを容易に行うことができる。
【００１３】
請求項４に記載の発明は、複数の入力ボタンと、複数の前記入力ボタンの表面にそれぞれ設けられ前記入力ボタンに対するユーザの接触を検知する接触検知センサと、を有する携帯電話装置の制御方法であって、特殊情報を付加表示する対象となる対象情報の位置又はその近傍にカーソルを合わせ、入力モード切替部により通常情報入力モードから特殊情報入力モードに切り替えて、複数の前記入力ボタンの表面にわたって前記特殊情報を描くように接触することにより前記表示部に表示された前記対象情報に前記特殊情報が制御部により付加表示されることを特徴とする。
【００１４】
請求項４に記載の発明によれば、特殊情報を付加表示する対象となる対象情報の位置又はその近傍にカーソルを合わせ、入力モード切替部により通常情報入力モードから特殊情報入力モードに切り替えて、複数の入力ボタンの表面にわたって特殊情報を描くように接触すると、その接触が接触検知センサにより検知される。そして、この接触検知センサによる検知結果に基づいて表示部に表示された対象情報に特殊情報が制御部により付加表示される。これにより、各入力ボタンから直接に入力できない特殊情報を容易に入力することができる。また、特殊情報入力モードへの切り替えを行うことにより、特殊情報の入力モードと通常情報の入力モードを区別することができ、誤入力を防止できる。
【００１５】
請求項５に記載の発明は、請求項４に記載の携帯電話装置の制御方法において、前記特殊情報入力モードへの切り替えは、所定の前記入力ボタンを押下し又はその表面に接触することにより実行されることを特徴とする。
【００１６】
請求項５に記載の発明によれば、特殊情報入力モードへの切り替えが所定の入力ボタンを押下し又はその表面に接触することにより実行されることにより、特殊情報入力モードへの切り替えを容易に行うことができる。
【００１７】
請求項６に記載の発明は、請求項４に記載の携帯電話装置の制御方法において、前記特殊情報入力モードへの切り替えは、前記対象情報を入力する前記入力ボタンの表面を複数回接触することにより実行されることを特徴とする。
【００１８】
請求項６に記載の発明によれば、特殊情報入力モードへの切り替えが対象情報を入力する入力ボタンの表面を複数回接触することにより実行されることにより、特殊情報入力モードへの切り替えを容易に行うことができる。
【発明の効果】
【００１９】
本発明によれば、入力ボタンから直接入力することができない特殊情報を容易に入力することができる。
【発明を実施するための最良の形態】
【００２０】
次に、本発明の一実施形態に係る携帯電話装置について、図面を参照して説明する。
【００２１】
図１に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００２２】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００２３】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００２４】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００２５】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００２６】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２７】
また、通信部１２、ベースバンド部１４、切替回路２２には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６には、ＲＯＭ３８が接続されており、ＲＯＭ３８に格納されているシステムプログラムに基づき各部を制御する。
【００２８】
また、制御回路３６には、入力部４４が接続されている。この入力部４４は、電話番号等の入力を行うテンキー（入力ボタン）４８と、通話の開始を操作する通話キー５０と、通話の終了を操作する切キー５２と、各種機能の設定を行う機能キー５４と、カーソルを所定の方向に移動させるカーソルキー５５と、を有している。また、制御回路３６には、押下することにより、通常情報を入力する通常情報入力モードと特殊情報を入力する特殊情報入力モードとを相互に切り替えることができる入力モード切替ボタン（入力モード切替部）６２が接続されている。
【００２９】
ここで、図２に示すように、テンキー４８には、１〜９の各入力ボタンと、♯ボタンと、＊ボタン（本実施形態では１２個のボタンとなる）とが含まれる。また、全てのテンキー４８の表面には、ユーザが接触したことを検知する接触検知センサ５６が設けられている。この接触検知センサ５６は、従来から知られているものであり、例えば、透明電極等が用いられている。この接触検知センサ５６は、回路基板（入力信号生成部）５８を介して制御回路３６と電気的に接続されている。この回路基板５８は、各テンキー４８に対応した入力信号を制御回路３６にそれぞれ別々に入力することができるようにテンキー４８と同じの個数（本実施形態では１２本）の信号送信部６０で制御回路３６と接続されている。これにより、通常情報入力モードにおいて、ユーザが所定のテンキー４８に接触すると、その接触したテンキー４８の磁力の変化に基づいて回路基板５８の信号送信部６０から所定の入力信号が出力され、この入力信号が制御回路３６に入力される。制御回路３６に所定の入力信号が入力されると、その入力信号に応じたテンキー４８に対応する文字（数字）情報（通常情報）をディスプレイ４２に表示させる。このように、ユーザが各テンキー４８を押下しなくても、各テンキー４８に接触するだけで所定の文字（数字）情報（通常情報）をディスプレイ４２に表示させることができる。
【００３０】
また、制御回路３６には、所定の色のＬＥＤ素子を備えた照明部４６が接続されている。照明部４６のＬＥＤ素子の発光により、ディスプレイ（表示部）４２が所定の色に施される。
【００３１】
また、制御回路３６には、制御回路３６の動作に必要な所定の情報が記憶されているＲＡＭ４０が接続されている。
【００３２】
ここで、ＲＡＭ４０には、特殊情報入力モードにおいて、各入力ボタンを押下することなく、その表面を接触することにより描かれた特殊情報をディスプレイ４２に表示することができるプログラムが記憶されている。具体的には、特殊情報入力モードにおいて、ユーザが複数の入力ボタンにわたって「２」と描くことにより二乗の入力表示が実現される。例えば、図３（Ａ）に示すように、特殊情報入力モードにおいて、ディスプレイ４２に表示された通常情報である「３」の位置又はその直後にカーソルＣの位置を合わせて、図３（Ｂ）に示すように、入力ボタンにわたって「２」と描くことにより、図３（Ｃ）に示すように、ディスプレイ４２には「３2」と表示される。また、図４（Ａ）に示すように、特殊情報入力モードにおいて、ディスプレイ４２に表示された通常情報である「３」の位置又はその直後にカーソルＣの位置を合わせて、図４（Ｂ）に示すように、入力ボタンにわたって「√」と描くことにより、ディスプレイ４２には図４（Ｃ）のように表示される。さらに、図５（Ａ）に示すように、特殊情報入力モードにおいて、ディスプレイ４２に表示された通常情報である「３」の位置又はその直後にカーソルＣの位置を合わせ、図５（Ｂ）に示すように、複数の入力ボタンにわたって「ｔ」と描き、続いて、図５（Ｃ）に示すように、複数の入力ボタンにわたって「ａ」と描き、続いて、図５（Ｄ）に示すように、複数の入力ボタンにわたって「ｎ」と描くことにより、図５（Ｅ）に示すように、ディスプレイ４２には「ｔａｎ３」と表示される。
【００３３】
次に、本実施形態に係る携帯電話装置１０の制御方法について図６に示すフローチャートに基づいて説明する。
【００３４】
図６に示すように、通常情報入力モードにおいて、ディスプレイ４２に所定の通常情報が入力表示される（Ｓ１００）。ディスプレイ４２に所定の通常情報が入力表示された後、特殊情報を付加表示する対象となる対象情報の位置又はその近傍にカーソルキーによりカーソルを移動させる（Ｓ１１０）。カーソルを移動させた後、入力モード切替ボタン６２により通常情報入力モードから特殊情報入力モードに切り替える（Ｓ１２０）。この入力モードの切り替えは、所定の入力ボタンを押下し又はその表面に接触することにより実行させてもよく、また、対象情報を入力する入力ボタンの表面を複数回接触して接触検知センサ５６に検知させることにより実行させてもよい。特殊情報入力モードに切り替えられると、複数の入力ボタンの表面にわたって接触して所定の特殊情報を描く（Ｓ１３０）。所定の特殊情報が描かれると、その描かれた特殊情報が接触検知センサ５６に検知されて所定の入力信号が制御回路３６に入力されることにより、その描かれた特殊情報が対象情報に付加されてディスプレイ４２に表示される（Ｓ１４０）。
【００３５】
以上のように、本実施形態によれば、特殊情報を付加表示する対象となる対象情報の位置又はその近傍にカーソルを合わせて、入力モード切替ボタン６２により特殊情報入力モードに切り替え、複数の入力ボタンの表面にわたって特殊情報を描くように接触すると、その接触が接触検知センサ５６により検知される。そして、この接触検知センサ５６による検知結果に基づいてディスプレイ４２に表示された対象情報に特殊情報が制御回路３６により付加表示される。これにより、各入力ボタンから直接に入力できない特殊情報を容易に入力することができる。また、特殊情報入力モードへの切り替えを行うことにより、特殊情報の入力モードと通常情報の入力モードを区別することができ、誤入力を防止できる。
【００３６】
特に、特殊情報入力モードへの切り替えを、所定の入力ボタンを押下し又はその表面に接触することにより実行することにより、特殊情報入力モードへの切り替えを容易に行うことができる。
【００３７】
また、特殊情報入力モードへの切り替えが対象情報を入力する入力ボタンの表面を複数回接触することにより実行されることにより、特殊情報入力モードへの切り替えを容易に行うことができる。
【００３８】
尚、本実施例では、テンキー４８上に接触検知センサ５６を配置したが、テンキー４８だけでなく携帯電話装置１０の筐体上に接触検知センサを配置しても良い。又、筐体内部に静電容量を検出することにより、指がなぞらえたことを検出する検出装置を配置しても良い。
【図面の簡単な説明】
【００３９】
【図１】本発明の一実施形態に係る携帯電話装置のブロック図である。
【図２】本発明の一実施形態に係る携帯電話装置の要部の概念図である。
【図３】本発明の一実施形態に係る携帯電話装置で任意の特殊情報を入力表示する工程を示した工程図である。
【図４】本発明の一実施形態に係る携帯電話装置で任意の特殊情報を入力表示する工程を示した工程図である。
【図５】本発明の一実施形態に係る携帯電話装置で任意の特殊情報を入力表示する工程を示した工程図である。
【図６】本発明の一実施形態に係る携帯電話装置の制御方法を示すフローチャートである。
【符号の説明】
【００４０】
１０      携帯電話装置
３６      制御回路（制御部）
４２      ディスプレイ（表示部）
４８      テンキー（入力ボタン）
５６      接触検知センサ
６２      入力モード切替ボタン（入力モード切替部）
【図１】
2007066169.tif 000003
【図２】
2007066169.tif 000004
【図３】
2007066169.tif 000005
【図４】
2007066169.tif 000006
【図５】
2007066169.tif 000007
【図６】
2007066169.tif 000008